(57)【要約】【課題】家屋の内部を冷却する冷却効果を向上させること。【解決手段】本発明では、家屋(2)の内壁(9)と外壁(10)との間に通気路(13)を形成するとともに、通気路(13)に外気を供給するための外気供給管(15)を接続し、外気供給管(15)から通気路(13)に外気を流すことで家屋(2)の内部を冷やすように構成した家屋冷却システム(1)において、貯水タンク(16)の内部に外気供給管(15)を貫通させるとともに、貯水タンク(16)に循環流路(19)を接続し、循環流路(19)を通気路(13)の内部に配設して、外気を雨水で冷却するように構成することにした。また、前記循環流路(19)の途中に家屋(2)の内部に向けて噴霧するためのノズル(30)を流路切換器(29)を介して接続し、家屋(2)の内部の温度が所定温度以上で、かつ、家屋(2)の内部の湿度が所定湿度未満の場合には、貯水タンク(16)に貯留した水をノズル(30)から噴霧するように構成することにした。【選択図】図１
2011112317.tif 000002
【特許請求の範囲】
【請求項１】
家屋の内壁と外壁との間に通気路を形成するとともに、通気路に外気を供給するための外気供給管を接続し、外気供給管から通気路に外気を流すことで家屋の内部を冷やすように構成した家屋冷却システムにおいて、
貯水タンクの内部に外気供給管を貫通させるとともに、貯水タンクに循環流路を接続し、循環流路を通気路の内部に配設して、外気を雨水で冷却するように構成したことを特徴とする家屋冷却システム。
【請求項２】
前記循環流路の途中に家屋の内部に向けて噴霧するためのノズルを流路切換器を介して接続し、家屋の内部の温度が所定温度以上で、かつ、家屋の内部の湿度が所定湿度未満の場合には、貯水タンクに貯留した水をノズルから噴霧するように構成したことを特徴とする請求項１に記載の家屋冷却システム。
【発明の詳細な説明】
【技術分野】
【０００１】
本発明は、家屋の内部を冷やすための家屋冷却システムに関するものであり、特に、家屋の内壁と外壁との間に通気路を形成するとともに、通気路に外気を供給するための外気供給管を接続し、外気供給管から通気路に外気を流すことで家屋の内部を冷やすように構成した家屋冷却システムに関するものである。
【背景技術】
【０００２】
近年、地球温暖化の影響による気温上昇に伴い家屋の内部での冷房設備の使用が増大し、冷房設備の運転に伴って電気エネルギー生成によるＣＯ２排出量や排熱量が増大し、それが起因して地球温暖化を加速するといった悪循環が社会問題となっている。
【０００３】
そのため、家屋の内部を冷房設備によらずに冷やすことができる家屋冷却システムの開発が要求されている。
【０００４】
その一つとして、従来より、家屋の内壁と外壁との間に通気路を形成するとともに、通気路に外気を供給するための外気供給管を接続し、外気供給管から通気路に外気を流すことで家屋の内部を冷やすように構成した家屋冷却システムが開発されている（たとえば、特許文献１参照。）。
【先行技術文献】
【特許文献】
【０００５】
【特許文献１】特開２００６−２６６５７５号公報
【発明の概要】
【発明が解決しようとする課題】
【０００６】
ところが、上記従来の家屋冷却システムにおいては、家屋の内壁と外壁の間に形成した通気路に単に外気を流すように構成しているだけであったために、外部の気温が高い場合には、家屋の内部を冷やす冷却効果が低いものであった。
【課題を解決するための手段】
【０００７】
そこで、請求項１に係る本発明では、家屋の内壁と外壁との間に通気路を形成するとともに、通気路に外気を供給するための外気供給管を接続し、外気供給管から通気路に外気を流すことで家屋の内部を冷やすように構成した家屋冷却システムにおいて、貯水タンクの内部に外気供給管を貫通させるとともに、貯水タンクに循環流路を接続し、循環流路を通気路の内部に配設して、外気を雨水で冷却するように構成することにした。
【０００８】
また、請求項２に係る本発明では、前記請求項１に係る本発明において、前記循環流路の途中に家屋の内部に向けて噴霧するためのノズルを流路切換器を介して接続し、家屋の内部の温度が所定温度以上で、かつ、家屋の内部の湿度が所定湿度未満の場合には、貯水タンクに貯留した水をノズルから噴霧するように構成することにした。
【発明の効果】
【０００９】
そして、本発明では、以下に記載する効果を奏する。
【００１０】
すなわち、本発明では、家屋の内壁と外壁との間に通気路を形成するとともに、通気路に外気を供給するための外気供給管を接続し、外気供給管から通気路に外気を流すことで家屋の内部を冷やすように構成した家屋冷却システムにおいて、貯水タンクの内部に外気供給管を貫通させるとともに、貯水タンクに循環流路を接続し、循環流路を通気路の内部に配設して、外気を水で冷却するように構成しているために、冷却した外気によって家屋の内部を冷やすことができるので、家屋の内部を冷やす冷却効果を増大させることができる。
【００１１】
特に、循環流路の途中に家屋の内部に向けて噴霧するためのノズルを流路切換器を介して接続し、家屋の内部の温度が所定温度以上で、かつ、家屋の内部の湿度が所定湿度未満のときには、貯水タンクに貯留した水をノズルから噴霧するように構成した場合には、家屋の内部を迅速に冷やすことができ、家屋の内部を冷やす冷却効果をより一層増大させることができる。
【図面の簡単な説明】
【００１２】
【図１】本発明に係る家屋冷却システムを示す模式図。
【図２】同動作説明図。
【図３】同動作説明図。
【図４】同動作説明図。
【図５】同動作説明図。
【発明を実施するための形態】
【００１３】
以下に、本発明に係る家屋冷却システムの具体的な構成について図面を参照しながら説明する。
【００１４】
図１に示すように、家屋冷却システム１は、家屋２に空冷機構３と水冷機構４とを接続するとともに、空冷機構３と水冷機構４とを制御装置５で適宜制御するように構成している。
【００１５】
家屋２は、地盤６に埋設した基礎７の上部に建造されており、基礎７と床８との間から内壁９と外壁10との間を通って天井11と屋根12との間へと通じる通気路13を形成し、天井11と屋根12との間に排気孔14を形成している。
【００１６】
空冷機構３は、外気供給管15の基端部を地盤６の上方で開口させるとともに、外気供給管15の中途部を水冷機構４の貯水タンク16の内部に貫通させ、さらに、外気供給管15の先端部を基礎７と床８との間の通気路13にファン17を介して接続している。なお、ファン17は、制御装置５に接続されており、制御装置５によって駆動制御されるようになっている。
【００１７】
そして、空冷機構３は、ファン17を駆動することによって、外気供給管15から通気路13に外気を供給し、その外気を基礎７と床８との間から内壁９と外壁10との間を通って天井11と屋根12との間へと流動させ、排気孔14から外部に排出するようにしている。これにより、空冷機構３は、外気の作用で家屋２の内部を冷やすようになっている。
【００１８】
水冷機構４は、地盤６に雨水を一時的に貯留するための貯水タンク16を埋設し、この貯水タンク16に雨水を取り込むための給水管18を接続するとともに、屋内を冷却するための循環流路19と外壁10を冷却するための外壁流路20と屋外を冷却するための外部流路21とをそれぞれ貯水タンク16に接続している。なお、貯水タンク16は、雨水に限られず、水道水や雪解け水などを貯留するようにしてもよい。
【００１９】
循環流路19は、貯水タンク16の上部に供給管22の基端部を接続し、供給管22の先端部に流路切換器23を接続し、流路切換器23にポンプ24を流入管25を介して接続し、ポンプ24に流路切換器26を流出管27を介して接続し、流路切換器26に往路管28の基端部を接続し、往路管28の先端部に流路切換器29を接続し、流路切換器29に家屋２の内部（室内）に向けて設置したノズル30を接続するとともに、流路切換器29に復路管31の基端部を接続し、復路管31の先端部を貯水タンク16の上部に接続している。
【００２０】
ここで、往路管28及び復路管31は、基礎７と床８との間から内壁９と外壁10との間を通って天井11と屋根12との間へと通じる通気路13の内部に配管している。
【００２１】
また、流路切換器23,26,29及びポンプ24は、制御装置５に接続されており、制御装置５によって切換制御や駆動制御されるようになっている。
【００２２】
外壁流路20は、貯水タンク16の上部（供給管22の下方）に供給管32の基端部を接続し、供給管32の先端部に流路切換器23、ポンプ24、流路切換器26を順に介して外壁吐水管33の基端部を接続し、外壁吐水管33の先端部に家屋２の外壁10に向けて設置したノズル34を接続している。
【００２３】
外部流路21は、貯水タンク16の底部に供給管35の基端部を接続し、供給管35の先端部に流路切換器23、ポンプ24、流路切換器26を順に介して外部吐水管36の基端部を接続し、外部吐水管36の先端部に家屋２の外側周辺の地盤６に向けて設置したノズル37を接続している。
【００２４】
制御装置５は、ファン17、流路切換器23,26,29及びポンプ24の他に家屋２の内部の温度を測定するための温度センサー38と家屋２の内部の湿度を測定するための湿度センサー39とが接続されており、記録媒体に記録した制御プログラムに従ってファン17、流路切換器23,26,29及びポンプ24を適宜制御するようにしている。
【００２５】
すなわち、制御装置５は、所定時間間隔（たとえば、１時間間隔）で温度センサー38と湿度センサー39から家屋２の内部の温度（室内温度）と湿度（室内湿度）とを測定し、室内温度が所定温度（たとえば、２０℃）未満の場合には、ファン17を停止し、図２に示すように、ポンプ24を所定時間（たとえば、５分間）駆動するとともに、流路切換器23,26を外部流路21に切換えて、貯水タンク16に貯留した雨水を外部流路21のノズル37から家屋２の外部に向けて噴射して貯水タンク16の底部に沈殿した不純物を貯水タンク16から排出する。
【００２６】
また、制御装置５は、室内温度が前記所定温度（たとえば、２０℃）よりも高い所定温度範囲（たとえば、２０℃以上２５℃未満）の場合には、まず、ファン17を駆動して外気を通気路13に流すことで家屋２の内部の冷却を行うとともに、図２に示すように、ポンプ24を所定時間（たとえば、５分間）駆動するとともに、流路切換器23,26を外部流路21に切換えて、貯水タンク16に貯留した雨水を外部流路21のノズル37から家屋２の外部に向けて噴射して貯水タンク16の底部に沈殿した不純物を貯水タンク16から排出するとともに家屋２の外部を冷却する。
【００２７】
また、制御装置５は、室内温度が前記所定温度範囲（たとえば、２０℃以上２５℃未満）よりも高い所定温度範囲（たとえば、２５℃以上３０℃未満）の場合には、まず、ファン17を駆動して外気を通気路13に流すことで家屋２の内部の冷却を行うとともに、図２に示すように、ポンプ24を所定時間（たとえば、５分間）駆動するとともに、流路切換器23,26を外部流路21に切換えて、貯水タンク16に貯留した雨水を外部流路21のノズル37から家屋２の外部に向けて噴射して貯水タンク16の底部に沈殿した不純物を貯水タンク16から排出するとともに家屋２の外部を冷却し、その後、図３に示すように、流路切換器23,26を外壁流路20に切換えるとともに、ポンプ24を所定時間（たとえば、３０分間）駆動し、貯水タンク16に貯留した雨水を外壁流路20のノズル34から家屋２の外壁10に向けて噴射して家屋２の外壁10を冷却する。
【００２８】
また、制御装置５は、室内温度が前記所定温度範囲（たとえば、２５℃以上３０℃未満）よりも高い所定温度（たとえば、３０℃以上）の場合には、まず、ファン17を駆動して外気を通気路13に流すことで家屋２の内部の冷却を行うとともに、図２に示すように、ポンプ24を所定時間（たとえば、５分間）駆動するとともに、流路切換器23,26を外部流路21に切換えて、貯水タンク16に貯留した雨水を外部流路21のノズル37から家屋２の外部に向けて噴射して貯水タンク16の底部に沈殿した不純物を貯水タンク16から排出するとともに家屋２の外部を冷却する。
【００２９】
その後さらに、制御装置５は、室内湿度が所定湿度（たとえば、５０％）以上の場合には、図４に示すように、流路切換器23,26を循環流路19に切換えるとともに、ポンプ24を所定時間（たとえば、３０分間）駆動し、流路切換器29で往路管28と復路管31とを連通させ、貯水タンク16に貯留した雨水を循環流路19で循環させ、通気路13において往路管28及び復路管31との熱交換によって外気を冷却し、冷却した外気で家屋２の内部を冷却する。
【００３０】
一方、制御装置５は、室内湿度が所定湿度（たとえば、５０％）未満の場合には、図５に示すように、流路切換器23,26を循環流路19に切換えるとともに、ポンプ24を所定時間（たとえば、３０分間）駆動し、流路切換器29で往路管28とノズル30とを連通させ、貯水タンク16に貯留した雨水を循環流路19のノズル30から家屋２の内部に向けて噴射して家屋２の内部を冷却する。このときにも、通気路13において往路管28との熱交換によって外気を冷却し、冷却した外気でも家屋２の内部を冷却する。
【００３１】
以上に説明したように、上記家屋冷却システム１は、家屋２の内壁９と外壁10との間に通気路13を形成するとともに、通気路13に外気を供給するための外気供給管15を接続し、外気供給管15から通気路13に外気を流すことで家屋２の内部を冷やすように構成している。
【００３２】
そして、上記家屋冷却システム１では、雨水を貯留するための貯水タンク16の内部に外気供給管15を貫通させるとともに、貯水タンク16に循環流路19を接続し、循環流路19を通気路13の内部に配設して、外気を雨水で冷却するように構成している。
【００３３】
そのため、上記構成の家屋冷却システム１では、天然資源である雨水を有効に利用して外気を冷却することができ、冷却した外気によって家屋２の内部を冷やすことができるので、家屋２の内部を冷やす冷却効果を増大させることができる。
【００３４】
しかも、上記家屋冷却システム１では、循環流路19の途中に家屋２の内部に向けて噴霧するためのノズル30を流路切換器29を介して接続し、家屋２の内部の温度が所定温度以上で、かつ、家屋２の内部の湿度が所定湿度未満の場合には、貯水タンク16に貯留した雨水をノズル30から噴霧するように構成している。
【００３５】
そのため、上記構成の家屋冷却システム１では、家屋２の内部にいる人に不快感を感じさせることなく家屋２の内部を迅速に冷やすことができ、家屋２の内部を冷やす冷却効果をより一層増大させることができる。
【符号の説明】
【００３６】
１  家屋冷却システム                    ２  家屋
３  空冷機構                            ４  水冷機構
５  制御装置                            ６  地盤
７  基礎                                ８  床
９  内壁                                10  外壁
11  天井                                12  屋根
13  通気路                              14  排気孔
15  外気供給管                          16  貯水タンク
17  ファン                              18  給水管
19  循環流路                            20  外壁流路
21  外部流路                            22  供給管
23  流路切換器                          24  ポンプ
25  流入管                              26  流路切換器
27  流出管                              28  往路管
29  流路切換器                          30  ノズル
31  復路管                              32  供給管
33  外壁吐水管                          34  ノズル
35  供給管                              36  外部吐水管
37  ノズル                              38  温度センサー
39  湿度センサー
【図１】
2011112317.tif 000003
【図２】
2011112317.tif 000004
【図３】
2011112317.tif 000005
【図４】
2011112317.tif 000006
【図５】
2011112317.tif 000007
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
家屋の内壁と外壁との間に通気路を形成するとともに、通気路に外気を供給するための外気供給管を接続し、外気供給管から通気路に外気を流すことで家屋の内部を冷やすように構成した家屋冷却システムにおいて、
貯水タンクの内部に外気供給管を貫通させるとともに、貯水タンクに循環流路を接続し、循環流路を通気路の内部に配設して、外気を貯水タンクに貯留した水で冷却するように構成し、前記循環流路の途中に家屋の内部に向けて噴霧するためのノズルを流路切換器を介して接続し、家屋の内部の温度が所定温度以上で、かつ、家屋の内部の湿度が所定湿度未満の場合には、貯水タンクに貯留した水をノズルから噴霧するように構成したことを特徴とする家屋冷却システム。
【手続補正２】
【補正対象書類名】明細書
【補正対象項目名】０００７
【補正方法】変更
【補正の内容】
【０００７】
そこで、本発明では、家屋の内壁と外壁との間に通気路を形成するとともに、通気路に外気を供給するための外気供給管を接続し、外気供給管から通気路に外気を流すことで家屋の内部を冷やすように構成した家屋冷却システムにおいて、貯水タンクの内部に外気供給管を貫通させるとともに、貯水タンクに循環流路を接続し、循環流路を通気路の内部に配設して、外気を貯水タンクに貯留した水で冷却するように構成することにした。
【手続補正３】
【補正対象書類名】明細書
【補正対象項目名】０００８
【補正方法】変更
【補正の内容】
【０００８】
また、本発明では、前記循環流路の途中に家屋の内部に向けて噴霧するためのノズルを流路切換器を介して接続し、家屋の内部の温度が所定温度以上で、かつ、家屋の内部の湿度が所定湿度未満の場合には、貯水タンクに貯留した水をノズルから噴霧するように構成することにした。
【手続補正４】
【補正対象書類名】明細書
【補正対象項目名】００１０
【補正方法】変更
【補正の内容】
【００１０】
すなわち、本発明では、家屋の内壁と外壁との間に通気路を形成するとともに、通気路に外気を供給するための外気供給管を接続し、外気供給管から通気路に外気を流すことで家屋の内部を冷やすように構成した家屋冷却システムにおいて、貯水タンクの内部に外気供給管を貫通させるとともに、貯水タンクに循環流路を接続し、循環流路を通気路の内部に配設して、外気を貯水タンクに貯留した水で冷却するように構成しているために、冷却した外気によって家屋の内部を冷やすことができるので、家屋の内部を冷やす冷却効果を増大させることができる。
【手続補正５】
【補正対象書類名】明細書
【補正対象項目名】００１１
【補正方法】変更
【補正の内容】
【００１１】
また、本発明では、循環流路の途中に家屋の内部に向けて噴霧するためのノズルを流路切換器を介して接続し、家屋の内部の温度が所定温度以上で、かつ、家屋の内部の湿度が所定湿度未満のときには、貯水タンクに貯留した水をノズルから噴霧するように構成しているために、家屋の内部を迅速に冷やすことができ、家屋の内部を冷やす冷却効果をより一層増大させることができる。